(57)【要約】【課題】  外槽カバーに給水吐出部を有し給水経路を介して内槽に給水する洗濯機において、接続時の利便性を向上するとともに、給水時に水が給水吐出部の底部に衝突したときの跳ね返りの水圧により、外槽カバーと給水用上部蛇腹状ホースから水が染み出てきて、外槽カバー上に水が溜まるのを防止する。【解決手段】  筐体１内部に弾性的に吊支した外槽３内に、回転中心軸を鉛直方向に有し洗濯物を収容する内槽４を回転自在に支持し、外槽３の上方開口側に略ドーナツ状の外槽カバー１７を配し、内槽４内への給水を制御する給水弁２３からの給水を内槽４内に導く給水吐出部３９を外槽カバー１７に設け、給水弁２３と給水吐出部３９の上面部とを給水経路３５により連通接続する。給水吐出部３９の底部には、給水経路３５との接続部に対応して水溜め部４１を設け、水溜め部４１に整流部材４４を設ける。【選択図】  図１
2005065908.tif 000002
【特許請求の範囲】
【請求項１】
筐体内部に弾性的に吊支した外槽と、回転中心軸を鉛直方向に有し前記外槽内に回転自在に支持し洗濯物を収容する内槽と、前記外槽の上方開口側に配した略ドーナツ状の外槽カバーと、この外槽カバーの内方開口部を上開き方向に開閉する内蓋と、前記内槽内への給水を制御する給水手段と、前記外槽カバーに設け前記給水手段からの給水を前記内槽内に導く給水吐出部と、前記給水手段と前記給水吐出部の上面部とを連通接続する給水経路とを備え、前記給水吐出部の底部には、前記給水経路との接続部に対応して水溜め部を設け、前記水溜め部に整流部材を設けた洗濯機。
【請求項２】
整流部材は、整流フィルターとした請求項１記載の洗濯機。
【請求項３】
整流部材は、複数個の鉛直ピンを有する成形部品とした請求項１記載の洗濯機。
【請求項４】
整流部材は、複数個の鉛直ピンを水溜め部と一体に形成した請求項１記載の洗濯機。
【請求項５】
整流部材は、鉛直方向に延設した略環状のリブ構成とした請求項１記載の洗濯機。
【請求項６】
整流部材は、鉛直方向に延設した複数の同心略環状のリブ構成とした請求項１記載の洗濯機。
【請求項７】
整流部材は、鉛直方向に延設した格子状のリブ構成とした請求項１記載の洗濯機。
【請求項８】
整流部材は、給水経路との接続部に先端部分を指向した略半球状または略錐形状の突出構成とした請求項１記載の洗濯機。
【請求項９】
整流部材の突出部は、給水吐出部の上面部よりも高くし、給水経路との接続部内に入り込む構成とした請求項１〜８のいずれか１項に記載の洗濯機。
【請求項１０】
給水吐出部の給水経路との接続部近傍に開閉自在な掃除用蓋を設けた請求項１〜９のいずれか１項に記載の洗濯機。
【発明の詳細な説明】
【技術分野】
【０００１】
本発明は、外槽カバーに給水吐出部を有し給水経路を介して内槽に給水する洗濯機に関するものである。
【背景技術】
【０００２】
従来、この種の洗濯機は、外槽カバーが給水用上部蛇腹ホースにより接続されており、脱水終了後に、水滴が脱水した衣類に落下するのを防止するために、外槽カバーの下部に、水溜め部を有する給水吐出部を備えていた（例えば、特許文献１参照）。
【０００３】
図１２は、従来の洗濯機を示したものである。以下、その構成について説明する。なお、図１２は乾燥機能を有する洗濯機を示している。
【０００４】
図１２に示すように、筐体１は、内部に複数のサスペンション２によって弾性的に吊り下げた外槽３を内包し、脱水時の振動をサスペンション２によって吸収する構成としている。外槽３の内部には、回転中心軸を略鉛直方向に有し、洗濯物または乾燥対象物（以下、衣類という）を収容する内槽４を中空で２重構造とした洗濯軸５ａ、脱水軸５ｂを中心に回転可能に配設している。内槽４の内底部には、衣類を撹拌する回転翼６を回転自在に配設している。
【０００５】
内槽４の内部周壁には小孔（図示せず）を多数設けるとともに、上方には流体バランサ７を設けている。回転翼６は、その形状を外周を傾斜面とした鍋型にすることにより、乾燥行程において衣類を回転翼６の回転による遠心力で傾斜面に沿って上方へと舞い上がり易くしている。
【０００６】
モータ８は外槽３の底部に取り付け、洗濯または脱水時に回転力の伝達を洗濯軸５ａまたは脱水軸５ｂに切り換えるクラッチ９と洗濯軸５ａまたは脱水軸５ｂを介して、内槽４または回転翼６に連結している。
【０００７】
熱交換器１０は、循環する湿った温風を除湿するもので、一端を循環路切り換え兼排水弁１１、伸縮自在の下部蛇腹状ホース１２を介して外槽３の下部に接続し、他端を送風手段１３の一端に接続している。送風手段１３の他端は加熱手段であるヒータ１４を有する第１の送風経路１５に接続し、第２の送風経路である伸縮自在の乾燥用上部蛇腹状ホース１６を介して内槽４へ連通し、温風が循環する経路を構成している。
【０００８】
外槽３には、上面を気密的に覆う外槽カバー１７を設けており、この外槽カバー１７に乾燥用上部蛇腹状ホース１６からの送風経路の出口１８を設けている。さらに、外槽カバー１７には内蓋１９を開閉自在に設け、衣類を出し入れできるようにしている。
【０００９】
筐体カバー２０は筐体１の上部を覆うもので、開閉蓋２１を開閉自在に有し、制御装置２２を設けるとともに、内槽４に給水する給水弁２３を設けている。この給水弁２３は、給水経路である給水用上部蛇腹状ホース２４を経て外槽カバー１７に水密的に結合され、外槽カバー１７には給水経路の出口２５を開口している。この給水経路の出口２５には、外槽カバー１７の下方より給水吐出部２６を取り付けている。
【００１０】
給水吐出部２６は、図１３に示すように、外槽カバー１７の下方からねじ２７により取り付けている。給水経路の出口２５の対応下方には、リブ２８により、水溜め部２９を設けている。この水溜め部２９の隣には、リブ２８を介して給水部３０を設けている。給水部３０の底部には、給水穴３１を複数個設けている。
【００１１】
熱交換用送風手段３２は、筐体１の内部に設け、外槽３、熱交換器１０などを送風により冷却する。制御装置２２は、モータ８、クラッチ９、循環路切り換え兼排水弁１１、送風手段１３、ヒータ１４、給水弁２３、熱交換用送風手段３２などの動作を制御し、洗濯、すすぎ、脱水、乾燥の各行程を制御するよう構成している。
【００１２】
上記構成において動作を説明する。洗濯行程において、循環路切り換え兼排水弁１１の排水側を閉じた状態で、開閉蓋２１と内蓋１９を開け、内槽４内に洗濯物と洗剤を投入し、運転を開始すると、制御装置２２は、給水弁２３を開いて給水を行う。
【００１３】
ここで、給水時の水の流れを説明すると、給水弁２３から流れ出た水は、給水経路である給水用上部蛇腹状ホース２４を経て、外槽カバー１７に設けた給水経路の出口２５に至る。その後、給水吐出部２６の底部の水溜め部２９に落下し、そこから溢れた水が、リブ２８を乗り越え、給水部３０に至り、複数個の給水穴３１より、内槽４内に放出される。この際、複数個の給水穴３１の数、形状、方向等を所定に設定することにより、水の放出方向も比較的簡単に設定することができ、かつ、水の放出形状の見栄えもよくするように調整することができる。
【００１４】
たとえば、水の放出方向としては、内槽４の内壁近傍方向を設定し、かつ、シャワー状に広がるように設定することにより、すすぎ時に、内槽４を回転させながら、給水し、シャワーすすぎを実行することができる。
【００１５】
所定の水位まで給水した後、モータ８を駆動する。モータ８の動力は、伝達機構部のクラッチ９、洗濯軸５ａを介して回転翼６に伝達される。回転翼６の回転により衣類が撹拌され、衣類同士、および衣類と内槽４の内壁や回転翼６との接触により衣類に機械力が作用し、その機械力と洗剤の洗浄力により洗濯が行われる。
【００１６】
脱水行程では、洗濯終了後、循環路切り換え兼排水弁１１の排水側を開いて内槽４内の水を排出した後、伝達機構部のクラッチ９を脱水側に切り換える。モータ８の動力は、脱水軸５ｂを介して内槽４に伝達される。内槽４の回転による遠心力が衣類に与えられ、水分が衣類から分離されることにより、脱水が行われる。
【００１７】
このとき、給水吐出部２６の底部の水溜め部２９には、脱水前には給水時の水３３がリブ２８の先端近傍まで溜まっているが、脱水中は外槽の振動により、水３３はリブ２８を乗り越え、給水部３０に至り、底部の給水穴３１を通って、内槽４内に落下し、内槽４の脱水回転により外槽３へ放出され、水３３の水面はリブ２８の先端面より低くなり、水溜め許容量を増やすことができる。
【００１８】
したがって、給水用上部蛇腹状ホース２４内に残った残水３４が水滴となって、脱水中、脱水後または衣類取り出し時に、水滴となって水溜め部２９に落下しても、水溜め部２９に蓄積されるだけで、内槽４内には落下しない。
【００１９】
乾燥行程では、まず、クラッチ９を洗濯側に切り換えて、モータ８の動力を回転翼６に伝達する。回転翼６を急速に正逆回転させることにより、脱水の遠心力で内槽４の内壁に張り付いた衣類を引き剥がす。つぎに、回転翼６を正逆回転させ衣類を撹拌させながら、送風手段１３とヒータ１４により温風を送風経路の出口１８に送る。送風経路の出口１８より内槽４内に吹き込まれた温風は、衣類から水分を蒸発させた後、内槽４から外槽３の内側へ出て、下部蛇腹状ホース１２を通過し、熱交換器１０へ至る。
【００２０】
衣類の水分を奪って湿気を含んだ温風が、外槽３の内壁や熱交換器１０内を通過しているとき、筐体１の側面に設置した熱交換用送風手段３２による外部空気の流入で、外槽３や熱交換器１０の外壁が冷却される。この冷却により、内部では水分の結露が発生し、湿った温風は除湿され、送風手段１３に戻る。この循環する経路で温風を循環させることにより、内槽４内の衣類を乾燥させることができる。
【００２１】
このとき、内槽４内に乾燥の蒸気が発生し、その蒸気が給水経路である給水用上部蛇腹状ホース２４内に侵入する。その蒸気は給水用上部蛇腹状ホース２４内部で結露し、結露水が生成される。その結露水が集成し、大きな水滴となり、水溜め部２９に落下するが、そこに蓄積されるだけで、内槽４内には落下しない。このとき、水溜め部２９内の水３３は、内槽４内の温風の温度により、乾燥され蒸発し、水３３の水面はリブ２８の先端面より低くなり、水溜め許容量を増やすことができるため、上記水滴が水溜め部２９内に落下しても、リブ２８を乗り越えて、給水部３０に至ることはない。
【特許文献１】特開２００２−３２０７９５号公報
【発明の開示】
【発明が解決しようとする課題】
【００２２】
しかしながら、このような従来の構成では、組立ラインにおいて、給水用上部蛇腹状ホース２４を外槽カバー１７に接続する際、弾性的に吊り下げられた外槽３に配設されて容易に動く外槽カバー１７に、筐体カバー２０と外槽カバー１７の狭い隙間に手を入れて、水密的に結合させるため、給水用上部蛇腹状ホース２４を接続し、ホースの抜け防止にホースバンドを取り付けるという困難な作業をしなければならず、接続の利便性を考えると、外槽カバー１７の上部に給水用上部蛇腹状ホース２４の接続部を設け、このホース接続部とホースは、接続部材を介して接続することが望ましい。
【００２３】
しかしながら、このような構成では、部品寸法のばらつき、変形、部品組み立て仕掛かり状態での変形、組立て作業のばらつきにより、外槽カバー１７と給水用上部蛇腹状ホース２４の水封代が少なくなった場合に、洗濯時の給水弁２３の開放により給水が行われたときに、水が給水吐出部２６の底部に衝突したときの跳ね返りの水圧により、水が給水経路の出口の接続部材の隙間を通過し、外槽カバー１７と給水用上部蛇腹状ホース２４の水封面を破壊し、水が染み出てきて、外槽カバー１７上に水が溜まるという問題を有していた。
【００２４】
本発明は上記従来の課題を解決するもので、接続時の利便性を向上するとともに、給水時に水が給水吐出部の底部に衝突したときの跳ね返りの水圧により、外槽カバーと給水用上部蛇腹状ホースから水が染み出てきて、外槽カバー上に水が溜まるのを防止することを目的としている。
【課題を解決するための手段】
【００２５】
本発明は上記目的を達成するために、筐体内部に弾性的に吊支した外槽内に、回転中心軸を鉛直方向に有し洗濯物を収容する内槽を回転自在に支持し、外槽の上方開口側に略ドーナツ状の外槽カバーを配し、この外槽カバーの内方開口部を内蓋により上開き方向に開閉し、内槽内への給水を制御する給水手段からの給水を内槽内に導く給水吐出部を外槽カバーに設け、給水手段と給水吐出部の上面部とを給水経路により連通接続するよう構成し、給水吐出部の底部には、給水経路との接続部に対応して水溜め部を設け、水溜め部に整流部材を設けたものである。
【００２６】
これにより、接続時の利便性を向上するとともに、給水時に給水圧が高い場合においても、水が給水吐出部の底部に衝突する前に、整流部材により整流されるため、外槽カバーと給水用上部蛇腹状ホースの水封面にかかる圧力を低減することができ、シール性が向上することで、外槽カバー上に水が染み出てきて、外槽カバー上に水が溜まるのを防止することができる。
【発明の効果】
【００２７】
本発明の洗濯機は、外槽カバーと給水用上部蛇腹状ホースの接続部から、水が染み出てきて、外槽カバー上に水が溜まるのを防止することができる。
【発明を実施するための最良の形態】
【００２８】
第１の発明は、筐体内部に弾性的に吊支した外槽と、回転中心軸を鉛直方向に有し前記外槽内に回転自在に支持し洗濯物を収容する内槽と、前記外槽の上方開口側に配した略ドーナツ状の外槽カバーと、この外槽カバーの内方開口部を上開き方向に開閉する内蓋と、前記内槽内への給水を制御する給水手段と、前記外槽カバーに設け前記給水手段からの給水を前記内槽内に導く給水吐出部と、前記給水手段と前記給水吐出部の上面部とを連通接続する給水経路とを備え、前記給水吐出部の底部には、前記給水経路との接続部に対応して水溜め部を設け、前記水溜め部に整流部材を設けたものであり、接続時の利便性を向上するとともに、給水時に、給水圧が高い場合においても、水が給水吐出部の底部に衝突する前に、整流部材により整流されるため、外槽カバーと給水用上部蛇腹状ホースの水封面にかかる圧力を低減することができ、外槽カバー上に水が染み出てきて、外槽カバー上に水が溜まるのを防止することができる。
【００２９】
第２の発明は、上記第１の発明において、整流部材は、整流フィルターとしたものであり、接続時の利便性を向上するとともに、高価な整流部材と比べ、より安価に、外槽カバーと給水用上部蛇腹状ホースの水封面にかかる圧力を低減することができ、外槽カバー上に水が染み出てきて、外槽カバー上に水が溜まるのを防止することができる。
【００３０】
第３の発明は、上記第１の発明において、整流部材は、複数個の鉛直ピンを有する成形部品としたものであり、接続時の利便性を向上するとともに、整流フィルターの素材の不織布等のばらつきによる要素をなくし、成形品のみの構成で安定した注水を確保させつつ、外槽カバーと給水用上部蛇腹状ホースの水封面にかかる圧力を低減することができ、外槽カバー上に水が染み出てきて、外槽カバー上に水が溜まるのを防止することができる。
【００３１】
第４の発明は、上記第１の発明において、整流部材は、複数個の鉛直ピンを水溜め部と一体に形成したものであり、接続時の利便性を向上するとともに、部品点数削減により組立て工数、組立て性も向上することができ、より安価な部品構成を可能とし、かつ安定した注水を確保させつつ、外槽カバーと給水用上部蛇腹状ホースの水封面にかかる圧力を低減することができ、外槽カバー上に水が染み出てきて、外槽カバー上に水が溜まるのを防止することができる。
【００３２】
第５の発明は、上記第１の発明において、整流部材は、鉛直方向に延設した略環状のリブ構成としたものであり、接続時の利便性を向上するとともに、鉛直ピンよりも水溜め容積が大きく確保でき、かつ成形部品の金型作成時の単純な加工を可能としつつ、外槽カバーと給水用上部蛇腹状ホースの水封面にかかる圧力を低減することができ、外槽カバー上に水が染み出てきて、外槽カバー上に水が溜まるのを防止することができる。
【００３３】
第６の発明は、上記第１の発明において、整流部材は、鉛直方向に延設した複数の同心略環状のリブ構成としたものであり、接続時の利便性を向上するとともに、一重の略環状のリブよりも低い高さのリブが可能になり、成形部品の金型の容易な加工を可能としつつ、外槽カバーと給水用上部蛇腹状ホースの水封面にかかる圧力を低減することができ、シール性が向上することで、外槽カバー上に水が染み出てきて、外槽カバー上に水が溜まるのを防止することができる。
【００３４】
第７の発明は、上記第１の発明において、整流部材は、鉛直方向に延設した格子状のリブ構成としたものであり、接続時の利便性を向上するとともに、成形部品の金型の放電加工を要することのない容易な加工を可能としつつ、外槽カバーと給水用上部蛇腹状ホースの水封面にかかる圧力を低減することができ、外槽カバー上に水が染み出てきて、外槽カバー上に水が溜まるのを防止することができる。
【００３５】
第８の発明は、上記第１の発明において、整流部材は、給水経路との接続部に先端部分を指向した略半球状または略錐形状の突出構成としたものであり、接続時の利便性を向上するとともに、水が整流されスムーズに横方向に流れを変えることができ、外槽カバーと給水用上部蛇腹状ホースの水封面にかかる圧力を低減することができ、外槽カバー上に水が染み出てきて、外槽カバー上に水が溜まるのを防止することができる。
【００３６】
第９の発明は、上記第１〜８のいずれか１つの発明において、整流部材の突出部は、給水吐出部の上面部よりも高くし、給水経路との接続部内に入り込む構成としたものであり、接続時の利便性を向上するとともに、外槽カバーと給水用上部蛇腹状ホースの水封面より上方に水の跳ね返りの水圧がかかる構成としたため、外槽カバー上に水が染み出てきて、外槽カバー上に水が溜まるのを防止することができる。
【００３７】
第１０の発明は、上記第１〜９のいずれか１つの発明において、給水吐出部の給水経路との接続部近傍に開閉自在な掃除用蓋を設けたものであり、整流部材に付着した異物を容易に除去することができ、異物により給水経路の給水量の低下による給水不良を防止することができる。
【００３８】
以下、本発明の実施の形態について、図面を参照しながら説明する。なお、従来例と同じ構成のものは同一符号を付して説明を省略する。また、この実施の形態によって本発明が限定されるものではない。
【００３９】
（実施の形態１）
図１および図２に示すように、給水経路３５は、給水弁（給水手段）２３から給水用上部蛇腹状ホース２４につながり、給水用上部蛇腹状ホース２４の先端には、略パイプ状の給水接続部材３６を挿入し、ホースの抜け防止にホースバンド３７をセットしており、外槽カバー１７に形成された略円筒状の給水ホース接続部３８に、給水接続部材３６を回転自在に嵌着固定して形成している。給水用上部蛇腹状ホース２４は、外槽カバー１７に形成した給水ホース接続部３８と水封的に結合している。
【００４０】
外槽カバー１７には給水経路３５の出口２５が開口している。この給水経路３５の出口２５には、給水吐出部３９を外槽カバー１７の下方より取り付けている。すなわち、図２に示すように、給水吐出部３９を外槽カバー１７の下方からねじ２７により取り付けている。給水経路３５の出口２５の対応下方には、リブ４０により水溜め部４１を設けている。この水溜め部４１の隣にリブ４０を介して、給水部４２を設けている。給水部４２の底部には、給水穴４３を複数個設けている。給水吐出部３９に形成されている水溜め部４１には、金属製略格子状の整流部材４４を設けている。
【００４１】
上記構成において、その動作、作用を説明する。洗濯行程では、循環路切り換え兼排水弁１１の排水側を閉じた状態で、内槽４に洗濯物と洗剤を投入し、運転を開始すると、制御装置２２は、給水弁２３を開いて給水を行う。
【００４２】
ここで、給水時の水の流れを説明すると、給水弁２３から流れ出た水は、給水経路３５である給水用上部蛇腹状ホース２４、給水接続部材３６、給水ホース接続部３８を経て、外槽カバー１７に設けた給水経路３５の出口２５に至る。その後、整流部材４４により整流され、給水吐出部３９の底部の水溜め部４１に落下し、そこから溢れた水がリブ４０を乗り越え給水部４２に至り、複数個の給水穴４３より内槽４内に放出される。
【００４３】
この際、複数個の給水穴４３の数、形状、方向等を所定に設定することにより、水の放出方向も比較的簡単に設定することができ、かつ、水の放出形状の見栄えもよくするように調整することができる。たとえば、水の放出方向としては、内槽４の内壁近傍方向を設定し、かつ、シャワー状に広がるように設定することにより、すすぎ時に、内槽４を回転させながら、給水し、シャワーすすぎを実行することができる。
【００４４】
その後、給水後から乾燥行程までの動作は従来例と同じであるので説明を省略する。
【００４５】
ここで、給水用上部蛇腹状ホース２４の接続に関係する組立ラインでの作業内容について説明する。組立ラインにおいては、弾性的に吊り下げられた外槽３に配設されて容易に動く外槽カバー１７に、筐体カバー２０との狭い隙間から、給水用上部蛇腹状ホース２４の先端に予めセットされた給水接続部材３６を、外槽カバー１７に形成された給水ホース接続部３８に確実にはめ込むだけで作業が完結する。なお、給水接続部材３６に爪部４０を設け、はめ込んだ状態で給水ホース接続部３８に係合して抜け防止を図っている。
【００４６】
以上のように、本実施の形態においては、給水吐出部３９の底部の水溜め部４１に整流部材４４を設けることにより、接続時の利便性を向上させることで作業効率が向上し、生産性を向上するとともに、給水時に給水圧が高い場合においても、水が給水吐出部３９の底部に衝突する前に、整流部材４４により整流されるため、給水吐出部３９の底部に衝突した水の跳ね返りによる、外槽カバー１７の給水ホース接続部３８と給水用上部蛇腹状ホース２４の水封面にかかる圧力を低減することができ、外槽カバー１７上に水が染み出てくるのを防止することができる。
【００４７】
（実施の形態２）
図３に示すように、整流部材４６は、不織布等による整流フィルターで構成し、給水吐出部３９に形成している水溜め部４１に設けている。他の構成は上記実施の形態１と同じである。
【００４８】
上記構成において、その動作、作用を説明する。なお、給水後から乾燥行程までの動作は従来例と同じであるので説明を省略する。
【００４９】
給水時に、給水弁（図示せず）から流れ出た水は、給水経路３５である給水用上部蛇腹状ホース２４、給水接続部材３６、給水ホース接続部３８を経て、外槽カバー１７に設けた給水経路３５の出口２５に至る。その後、整流フィルターで構成した整流部材４６により整流され、給水吐出部３９の底部の水溜め部４１に落下する。
【００５０】
以上のように、本実施の形態においては、給水吐出部３９の底部の水溜め部４１に整流フィルターで構成した整流部材４６を設けることにより、接続時の利便性を向上させることで作業効率が向上し、生産性を向上するとともに、高価な整流部材と比べより安価に、給水時に給水圧が高い場合においても、水が給水吐出部３９の底部に衝突する前に、整流部材４６により整流されるため、給水吐出部３９の底部に衝突した水の跳ね返りによる、外槽カバー１７の給水ホース接続部３８と給水用上部蛇腹状ホース２４の水封面にかかる圧力を低減することができ、外槽カバー１７上に水が染み出てくるのを防止することができる。
【００５１】
（実施の形態３）
図４に示すように、整流部材４７は、複数個の鉛直ピンを有する成型部品で構成し、給水吐出部３９に形成している水溜め部４１に設けている。他の構成は上記実施の形態１と同じである。
【００５２】
上記構成において、その動作、作用を説明する。なお、給水後から乾燥行程までの動作は従来例と同じであるので説明を省略する。
【００５３】
給水時に、給水弁（図示せず）から流れ出た水は、給水経路３５である給水用上部蛇腹状ホース２４、給水接続部材３６、給水ホース接続部３８を経て、外槽カバー１７に設けた給水経路３５の出口２５に至る。その後、複数個の鉛直ピンを有する成形部品で構成した整流部材４７により整流され、給水吐出部３９の底部の水溜め部４１に落下する。
【００５４】
以上のように、本実施の形態においては、給水吐出部３９の底部の水溜め部４１に整流部材として複数個の鉛直ピンを有する成型部品で構成した整流部材４７を設けることにより、接続時の利便性を向上させることで作業効率が向上し、生産性を向上するとともに、整流フィルターの素材の不織布等のばらつきによる要素をなくし、成形品のみの構成で安定した注水を確保させつつ、給水時に、給水圧が高い場合においても、水が給水吐出部３９の底部に衝突する前に、整流部材４７により整流されるため、給水吐出部３９の底部に衝突した水の跳ね返りによる、外槽カバー１７の給水ホース接続部３８と給水用上部蛇腹状ホース２４の水封面にかかる圧力を低減することができ、外槽カバー１７上に水が染み出てくるのを防止することができる。
【００５５】
（実施の形態４）
図５に示すように、給水吐出部４８は、外槽カバー１７の下方に取り付け、給水経路３５の出口２５の対応下方に、リブ４９により水溜め部５０を設けている。この水溜め部５０の隣にリブ４９を介して、給水部５１を設けている。給水部５１の底部には、給水穴５２を複数個設けている。水溜め部５０には、複数個の鉛直ピン５３を水溜め部５０と一体に給水吐出部４８に形成し、整流部材を構成している。他の構成は上記実施の形態１と同じである。
【００５６】
上記構成において、その動作、作用を説明する。なお、給水後から乾燥行程までの動作は従来例と同じであるので説明を省略する。
【００５７】
給水時に、給水弁（図示せず）から流れ出た水は、給水経路３５である給水用上部蛇腹状ホース２４、給水接続部材３６、給水ホース接続部３８を経て、外槽カバー１７に設けた給水経路の出口２５に至る。その後、複数個の鉛直ピン５３により整流され、給水吐出部４８の底部の水溜め部５０に落下する。
【００５８】
以上のように、本実施の形態においては、給水吐出部４８の底部の水溜め部５０に整流部材として複数個の鉛直ピン５３を設けることにより、接続時の利便性を向上させることで作業効率が向上し、生産性を向上するとともに、部品点数削減により組立て工数、組立て性も向上することができ、より安価な部品構成を可能とし、かつ安定した注水を確保させつつ、給水時に、給水圧が高い場合においても、水が給水吐出部４８の底部に衝突する前に、複数個の鉛直ピン５３により整流されるため、給水吐出部４８の底部に衝突した水の跳ね返りによる、外槽カバー１７の給水ホース接続部３８と給水用上部蛇腹状ホース２４の水封面にかかる圧力を低減することができ、外槽カバー１７上に水が染み出てくるのを防止することができる。
【００５９】
（実施の形態５）
図６に示すように、整流部材５４は、鉛直方向に延設した略環状のリブ構成とし、給水吐出部３９に形成している水溜め部４１に設けている。他の構成は上記実施の形態１と同じである。
【００６０】
上記構成において、その動作、作用を説明する。なお、給水後から乾燥行程までの動作は従来例と同じであるので説明を省略する。
【００６１】
給水時に、給水弁（図示せず）から流れ出た水は、給水経路３５である給水用上部蛇腹状ホース２４、給水接続部材３６、給水ホース接続部３８を経て、外槽カバー１７に設けた給水経路３５の出口２５に至る。その後、鉛直方向に延設した略環状のリブ構成とした整流部材５４により整流され、給水吐出部３９の底部の水溜め部４１に落下する。
【００６２】
以上のように、本実施の形態においては、給水吐出部３９の底部の水溜め部４１に、鉛直方向に延設した略環状のリブ構成とした整流部材５４を設けることにより、接続時の利便性を向上させることで作業効率が向上し、生産性を向上するとともに、鉛直ピンよりも水溜め容積が大きく確保でき、かつ成形部品の金型作成時の単純な加工を可能としつつ、給水時に、給水圧が高い場合においても、水が給水吐出部３９の底部に衝突する前に、整流部材５４により整流されるため、給水吐出部３９の底部に衝突した水の跳ね返りによる、外槽カバー１７の給水ホース接続部３８と給水用上部蛇腹状ホース２４の水封面にかかる圧力を低減することができ、外槽カバー１７上に水が染み出てくるのを防止することができる。
【００６３】
なお、本実施の形態では、給水吐出部３９の水溜め部４１に整流部材５４を設けたが、給水吐出部３９に一体に形成することで、同様の効果を得ることができる。
【００６４】
（実施の形態６）
図７に示すように、整流部材５５は、鉛直方向に延設した複数の同心略環状のリブ構成とし、給水吐出部３９に形成している水溜め部４１に設けている。他の構成は上記実施の形態１と同じである。
【００６５】
上記構成において、その動作、作用を説明する。なお、給水後から乾燥行程までの動作は従来例と同じであるので説明を省略する。
【００６６】
給水時に、給水弁（図示せず）から流れ出た水は、給水経路３５である給水用上部蛇腹状ホース２４、給水接続部材３６、給水ホース接続部３８を経て、外槽カバー１７に設けた給水経路３５の出口２５に至る。その後、鉛直方向に延設した複数の同心略環状のリブ構成とした整流部材５５により整流され、給水吐出部３９の底部の水溜め部４１に落下する。
【００６７】
以上のように、本実施の形態においては、給水吐出部３９の底部の水溜め部４１に、鉛直方向に延設した複数の同心略環状のリブ構成とした整流部材５５を設けることにより、接続時の利便性を向上させることで作業効率が向上し、生産性を向上するとともに、一重の略環状のリブよりも低い高さのリブが可能になり、成形部品の金型の容易な加工および金型冷却構造の自由度を上げることができ、給水時に、給水圧が高い場合においても、水が給水吐出部３９の底部に衝突する前に、整流部材５５により整流されるため、給水吐出部３９の底部に衝突した水の跳ね返りによる、外槽カバー１７の給水ホース接続部３８と給水用上部蛇腹状ホース２４の水封面にかかる圧力を低減することができ、外槽カバー１７上に水が染み出てくるのを防止することができる。
【００６８】
なお、本実施の形態では、給水吐出部３９の水溜め部４１に整流部材５５を設けたが、給水吐出部３９に一体に形成することで、同様の効果を得ることができる。
【００６９】
（実施の形態７）
図８に示すように、整流部材５６は、鉛直方向に延設した格子状のリブ構成とし、給水吐出部３９に形成している水溜め部４１に設けている。他の構成は上記実施の形態１と同じである。
【００７０】
上記構成において、その動作、作用を説明する。なお、給水後から乾燥行程までの動作は従来例と同じであるので説明を省略する。
【００７１】
給水時に、給水弁（図示せず）から流れ出た水は、給水経路３５である給水用上部蛇腹状ホース２４、給水接続部材３６、給水ホース接続部３８を経て、外槽カバー１７に設けた給水経路３５の出口２５に至る。その後、鉛直方向に延設した格子状のリブ構成とした整流部材５６により整流され、給水吐出部３９の底部の水溜め部４１に落下する。
【００７２】
以上のように、本実施の形態においては、給水吐出部３９の底部の水溜め部４１に、鉛直方向に延設した格子状のリブ構成とした整流部材５６を設けることにより、接続時の利便性を向上させることで作業効率が向上し、生産性を向上するとともに、成形部品の金型の放電加工を要することのない容易な加工が可能なり、給水時に、給水圧が高い場合においても、水が給水吐出部３９の底部に衝突する前に、整流部材５６により整流されるため、給水吐出部３９の底部に衝突した水の跳ね返りによる、外槽カバー１７の給水ホース接続部３８と給水用上部蛇腹状ホース２４の水封面にかかる圧力を低減することができ、外槽カバー１７上に水が染み出てくるのを防止することができる。
【００７３】
なお、本実施の形態では、給水吐出部３９の水溜め部４１に整流部材５６を設けたが、給水吐出部３９に一体に形成することで、同様の効果を得ることができる。
【００７４】
（実施の形態８）
図９に示すように、整流部材５７は、給水経路３５との接続部に先端部分を指向した略半球状または略錐形状の突出構成とし、給水吐出部３９に形成している水溜め部４１に設けている。他の構成は上記実施の形態１と同じである。
【００７５】
上記構成において、その動作、作用を説明する。なお、給水後から乾燥行程までの動作は従来例と同じであるので説明を省略する。
【００７６】
給水時に、給水弁（図示せず）から流れ出た水は、給水経路３５である給水用上部蛇腹状ホース２４、給水接続部材３６、給水ホース接続部３８を経て、外槽カバー１７に設けた給水経路３５の出口２５に至る。その後、給水経路３５との接続部に先端部分を指向した略半球状または略錐形状の突出構成とした整流部材５７により整流され、給水吐出部３９の底部の水溜め部４１に落下する。
【００７７】
以上のように、本実施の形態においては、給水吐出部３９の底部の水溜め部４１に、給水経路３５との接続部に先端部分を指向した略半球状または略錐形状の突出構成とした整流部材５７を設けることにより、接続時の利便性を向上させることで作業効率が向上し、生産性を向上するとともに、水が整流されスムーズに横方向に流れを変えることができ、給水時に、給水圧が高い場合においても、水が給水吐出部３９の底部に衝突する前に、整流部材５７により整流されるため、給水吐出部３９の底部に衝突した水の跳ね返りによる、外槽カバー１７の給水ホース接続部３８と給水用上部蛇腹状ホース２４の水封面にかかる圧力を低減することができ、外槽カバー１７上に水が染み出てくるのを防止することができる。
【００７８】
なお、本実施の形態では、給水吐出部３９の水溜め部４１に整流部材５７を設けたが、給水吐出部３９に一体に形成することで、同様の効果を得ることができる。
【００７９】
（実施の形態９）
図１０に示すように、整流部材５８は、突出部を給水吐出部３９の上面部５９よりも高くし、給水経路３５との接続部内に入り込む構成とし、給水吐出部３９に形成している水溜め部４１に設けている。他の構成は上記実施の形態１と同じである。
【００８０】
上記構成において、その動作、作用を説明する。なお、給水後から乾燥行程までの動作は従来例と同じであるので説明を省略する。
【００８１】
給水時に、給水弁（図示せず）から流れ出た水は、給水経路３５である給水用上部蛇腹状ホース２４、給水接続部材３６、給水ホース接続部３８を経て、外槽カバー１７に設けた給水経路３５の出口２５に至る。その後、突出部を給水吐出部３９の上面部５９よりも高くし、給水経路３５との接続部内に入り込む構成とし、整流部材５８により整流され、給水吐出部３９の底部の水溜め部４１に落下する。
【００８２】
以上のように、本実施の形態においては、給水吐出部３９の底部の水溜め部４１に、突出部を給水吐出部３９の上面部５９よりも高くし、給水経路３５との接続部内に入り込む構成とした整流部材５８を設けることにより、接続時の利便性を向上させることで作業効率が向上し、生産性を向上するとともに、外槽カバー１７と給水用上部蛇腹状ホース３８の水封面より上方に水の跳ね返りの水圧がかかる構成としたため、給水時に、給水圧が高い場合においても、外槽カバー１７の給水ホース接続部３８と給水用上部蛇腹状ホース２４の水封面にかかる圧力を低減することができ、外槽カバー１７上に水が染み出てくるのを防止することができる。
【００８３】
なお、本実施の形態では、給水吐出部３９の水溜め部４１に整流部材５８を設けたが、給水吐出部３９に一体に形成することで、同様の効果を得ることができる。
【００８４】
（実施の形態１０）
図１１に示すように、給水吐出部５９は、外槽カバー６０の下方に取り付け、給水経路３５の出口２５の対応下方に、リブ６１により水溜め部６２を設けている。この水溜め部６２の隣にリブ６１を介して、給水部６３を設けている。給水部６３の底部には、給水穴６４を複数個設けている。水溜め部６２には整流部材６５を設けている。給水吐出部５９の給水経路３５との接続部６６近傍に開閉自在な掃除用蓋６７を設けている。他の構成は上記実施の形態１と同じである。
【００８５】
上記構成において、その動作、作用を説明する。なお、給水から乾燥行程までの動作は従来例と同じであるので説明を省略する。
【００８６】
洗濯運転終了後または開始前に外槽カバー６０の上部に設けた掃除用蓋６７を開閉することで、整流部材６５に付着した異物を容易に除去することができる。
【００８７】
以上のように、本実施の形態においては、給水吐出部５９の給水経路３５との接続部６６近傍に開閉自在な掃除用蓋６７を設けたことにより、洗濯を何回も使用していくうちに、堆積していく、整流部材６５に付着した異物を容易に除去することができ、異物により給水経路３５の給水量の低下による、給水不良を防止することができる。
【産業上の利用可能性】
【００８８】
以上のように、本発明にかかる洗濯機は、外槽カバーと給水用上部蛇腹ホースの接続部から、水が染み出てくるのを防止することができるので、外槽カバーと給水用上部蛇腹ホースを接続する洗濯機等として有用である。
【図面の簡単な説明】
【００８９】
【図１】本発明の実施の形態１の洗濯機の縦断面図
【図２】同洗濯機の給水吐出部の拡大断面図
【図３】本発明の実施の形態２の洗濯機の給水吐出部の断面図
【図４】本発明の実施の形態３の洗濯機の給水吐出部の断面図
【図５】本発明の実施の形態４の洗濯機の給水吐出部の断面図
【図６】本発明の実施の形態５の洗濯機の給水吐出部の断面図
【図７】本発明の実施の形態６の洗濯機の給水吐出部の断面図
【図８】本発明の実施の形態７の洗濯機の給水吐出部の断面図
【図９】本発明の実施の形態８の洗濯機の給水吐出部の断面図
【図１０】本発明の実施の形態９の洗濯機の給水吐出部の断面図
【図１１】本発明の実施の形態１０の洗濯機の給水吐出部の断面図
【図１２】従来の洗濯機の縦断面図
【図１３】同洗濯機の給水吐出部の拡大断面図
【符号の説明】
【００９０】
１  筐体
３  外槽
４  内槽
１７  外槽カバー
１９  内蓋
２３  給水弁（給水手段）
３９  給水吐出部
４１  水溜め部
４４  整流部材
【図１】
2005065908.tif 000003
【図２】
2005065908.tif 000004
【図３】
2005065908.tif 000005
【図４】
2005065908.tif 000006
【図５】
2005065908.tif 000007
【図６】
2005065908.tif 000008
【図７】
2005065908.tif 000009
【図８】
2005065908.tif 000010
【図９】
2005065908.tif 000011
【図１０】
2005065908.tif 000012
【図１１】
2005065908.tif 000013
【図１２】
2005065908.tif 000014
【図１３】
2005065908.tif 000015